(57)【要約】【課題】プラグハウジングを従来構成よりも小型化することができる高電圧高容量のプラグを提供する。【解決手段】プラグハウジング６０は、接地極を含む３極の栓刃７１〜７３が一面に突設される。電圧極である栓刃７１，７２は、それぞれ断面矩形状であって断面の長手方向が互いに直交するとともに栓刃７１の断面の幅方向において栓刃７１から栓刃７２が離間する。また、接地極である栓刃７３は、栓刃７２の断面の幅方向において栓刃７２から離間し、栓刃７２の断面の長手方向において栓刃７２の両端のうちの栓刃７１から離れた一端と栓刃７１との間に対応する部位に位置する。【選択図】        図１
2005135615.tif 000002
【特許請求の範囲】
【請求項１】
接地極を含む３極の栓刃をプラグハウジングの一面に突設したプラグであって、電圧極である第１および第２の栓刃は、それぞれ断面矩形状であって断面の長手方向が互いに直交するとともに第１の栓刃の断面の幅方向において第１の栓刃から第２の栓刃が離間し、接地極である栓刃は、第２の栓刃の断面の幅方向において第２の栓刃から離間し、第２の栓刃の断面の長手方向において第２の栓刃の両端のうちの第１の栓刃から離れた一端と第１の栓刃との間に対応する部位に位置することを特徴とするプラグ。
【請求項２】
前記プラグハウジングにおける前記栓刃の突出方向に直交する断面は、前記栓刃がそれぞれ差し込まれる３個の差込口を備えたコンセントハウジングにおいてすべての差込口を含む部位に形成した差込凹所に合致する形状に形成され、プラグハウジングにおいて栓刃側となる一端部が差込凹所に嵌合可能であることを特徴とする請求項１記載のプラグ。
【請求項３】
前記栓刃がそれぞれ差し込まれる３個の差込口を備えたコンセントハウジングにおいて差込口を設けた一面のうちすべての差込口を含む部位に互いに嵌合可能な差込凹所と差込突台との一方が形成され、前記プラグハウジングにおいて栓刃が突出する一面のうちすべての栓刃を含む部位には差込凹所と差込突台との他方が形成されていることを特徴とする請求項１記載のプラグ。
【請求項４】
前記栓刃を設けたプラグハウジングの外側面のうち前記栓刃の突出する一面に交差する面に引抜用窪み部が形成され、引抜用窪み部のうち栓刃が突出する面から遠い部位には、指を掛ける掛かり段差部が形成されていることを特徴とする請求項３記載のプラグ。
【請求項５】
前記引抜用窪み部のうち前記栓刃が突出する面に近い部位には、栓刃への指の接触を防止する仕切段差部が形成されていることを特徴とする請求項３記載のプラグ。
【請求項６】
前記栓刃に設けたかしめ部に前記電線がかしめ結合され、前記プラグハウジングが前記栓刃と同時一体に成形されていることを特徴とする請求項１ないし請求項５のいずれか１項に記載のプラグ。
【請求項７】
前記栓刃に設けた端子部に螺合する端子ねじにより前記電線が接続され、前記プラグハウジングは、前記栓刃が固定されたプラグボディと、栓刃の突出方向においてプラグボディに突き合わせられるプラグカバーとにより形成されていることを特徴とする請求項１ないし請求項５のいずれか１項に記載のプラグ。
【請求項８】
前記プラグハウジングから前記電線を引き出す部位に、プラグハウジングに固定されるとともに電線を保持する張力止め部材が設けられていることを特徴とする請求項７記載のプラグ。
【請求項９】
前記プラグハウジングにおいて前記栓刃が突出する面のうち両電圧極の栓刃の間の部位には両栓刃の間の沿面距離を大きくする溝部が形成されていることを特徴とする請求項１ないし請求項８のいずれか１項に記載のプラグ。
【発明の詳細な説明】
【技術分野】
【０００１】
本発明は、２５０Ｖ３０Ａ用のような高電圧高容量のプラグに関するものである。
【背景技術】
【０００２】
近年、一般家庭において電源電圧が２００Ｖである電気機器が普及してきている。とくに、ＩＨクッキングヒータの普及率の上昇は著しく、この種の電気機器では定格が２５０Ｖ３０Ａであるプラグが必要になる。
【０００３】
高電圧高容量のコンセントとしては、図１３に示すように、接地極を含む３極の構成であって、電圧極である２極に対応するプラグの栓刃は平形栓刃であり、コンセントにおいて栓刃が差し込まれる差込口２ａ，２ｂはコンセントハウジング１の一面に矩形状に開口するものが提供されている。電圧極である２個の差込口２ａ，２ｂは長手方向の中心線を一致させる形で並設され、接地極である差込口２ｃは、電圧極である差込口２ａ，２ｂの幅方向に離間しかつ電圧極である両差込口２ａ，２ｂの長手方向において互いに離れた端部間の中央位置に対応するように配置されている（たとえば、特許文献１参照）。
【特許文献１】特開２００２−３５２８９５号公報
【発明の開示】
【発明が解決しようとする課題】
【０００４】
ところで、上述したコンセントは、電圧極である矩形状の差込口２ａ，２ｂが長手方向の中心線を一致させる形で並設されているものであるから、差込口２ａ，２ｂの長手方向においてコンセントハウジング１が差込口２ａ，２ｂの長手方向の２倍以上の寸法になる。つまり、高電圧高容量のコンセントとプラグとは比較的大型になるという問題がある。
【０００５】
本発明は上記事由に鑑みて為されたものであり、その目的は、プラグハウジングを従来構成よりも小型化することができる高電圧高容量のプラグを提供することにある。
【課題を解決するための手段】
【０００６】
請求項１の発明は、接地極を含む３極の栓刃をプラグハウジングの一面に突設したプラグであって、電圧極である第１および第２の栓刃は、それぞれ断面矩形状であって断面の長手方向が互いに直交するとともに第１の栓刃の断面の幅方向において第１の栓刃から第２の栓刃が離間し、接地極である栓刃は、第２の栓刃の断面の幅方向において第２の栓刃から離間し、第２の栓刃の断面の長手方向において第２の栓刃の両端のうちの第１の栓刃から離れた一端と第１の栓刃との間に対応する部位に位置することを特徴とする。
【０００７】
この構成によれば、電圧極である第１の栓刃と第２の栓刃とを断面の長手方向の一直線上に並設する従来構成に比較すると、第２の栓刃の断面の長手方向において第１および第２の栓刃が占有する寸法を小さくすることができ、従来構成よりも幅寸法の小さいプラグハウジングを用いることが可能になる。
【０００８】
請求項２の発明は、請求項１の発明において、前記プラグハウジングにおける前記栓刃の突出方向に直交する断面は、前記栓刃がそれぞれ差し込まれる３個の差込口を備えたコンセントハウジングにおいてすべての差込口を含む部位に形成した差込凹所に合致する形状に形成され、プラグハウジングにおいて栓刃側となる一端部が差込凹所に嵌合可能であることを特徴とする。
【０００９】
この構成によれば、プラグをコンセントに差し込む際にプラグハウジングの一端部がコンセントハウジングに設けた差込凹所に嵌合するから、コンセントハウジングに設けた差込凹所の開口面がプラグハウジングにより閉塞されるとともに、プラグにおいて栓刃が突出する部位が差込凹所の開口面よりも奥方になることにより、ゴミや金属片や水滴のような異物が栓刃に触れにくくなり、安全性を向上させることができる。この構成は、ＩＨクッキングヒータのように比較的異物が付着しやすい場所で使用する場合にとくに有効である。また、プラグハウジングがコンセントハウジングに設けた差込凹所の開口面に合致する断面形状を有しているから、コンセントハウジングに対するプラグハウジングの投影面積が小さくなり、プラグが小型化される。
【００１０】
請求項３の発明は、請求項１の発明において、前記栓刃がそれぞれ差し込まれる３個の差込口を備えたコンセントハウジングにおいて差込口を設けた一面のうちすべての差込口を含む部位に互いに嵌合可能な差込凹所と差込突台との一方が形成され、前記プラグハウジングにおいて栓刃が突出する一面のうちすべての栓刃を含む部位には差込凹所と差込突台との他方が形成されていることを特徴とする。
【００１１】
この構成によれば、プラグをコンセントに差し込む際に差込突台と差込凹所とが嵌合するから、プラグにおいて栓刃が突出する面がプラグとコンセントとを突き合わせる面とは異なる面になることにより、ゴミや金属片や水滴のような異物が栓刃に触れにくくなり、安全性を向上させることができる。この構成は、ＩＨクッキングヒータのように比較的異物が付着しやすい場所で使用する場合にとくに有効である。
【００１２】
請求項４の発明は、請求項３の発明において、前記栓刃を設けたプラグハウジングの外側面のうち前記栓刃の突出する一面に交差する面に引抜用窪み部が形成され、引抜用窪み部のうち栓刃が突出する面から遠い部位に、指を掛ける掛かり段差部が形成されていることを特徴とする。
【００１３】
この構成によれば、プラグをコンセントから抜くときに掛かり段差部に指が掛かるから、コンセントを引き抜く作業が容易になり、しかも掛かり段差部によって指からの力をプラグハウジングに伝達することができるから、栓刃の突出方向におけるプラグハウジングの厚み寸法を小さくすることが可能になる。
【００１４】
請求項５の発明は、請求項３の発明において、前記引抜用窪み部のうち前記栓刃が突出する面に近い部位に、栓刃への指の接触を防止する仕切段差部が形成されていることを特徴とする。
【００１５】
この構成によれば、引抜用窪み部に当てた指と栓刃との間に仕切段差部が存在することによって、指が栓刃に接触することが防止され、プラグをコンセントから引き抜く作業時の安全性を高めることができる。
【００１６】
請求項６の発明は、請求項１ないし請求項５の発明において、前記栓刃に設けたかしめ部に前記電線がかしめ結合され、前記プラグハウジングが前記栓刃と同時一体に成形されていることを特徴とする。
【００１７】
この構成によれば、栓刃と電線とがかしめ結合され、しかもプラグハウジングが栓刃と同時一体に成形されているから、プラグハウジングが分解されることによって内部の充電部が露出するということがなく、しかも部品点数が少なく安価に提供することが可能になる。
【００１８】
請求項７の発明は、請求項１ないし請求項５の発明において、前記栓刃に設けた端子部に螺合する端子ねじにより前記電線が接続され、前記プラグハウジングは、前記栓刃が固定されたプラグボディと、栓刃の突出方向においてプラグボディに突き合わせられるプラグカバーとにより形成されていることを特徴とする。
【００１９】
この構成によれば、栓刃と電線とが端子ねじを用いて接続され、しかもプラグボディとプラグカバーとを突き合わせてプラグハウジングを構成しているから、現場において所望の長さの電線を接続することが可能であって、電線の無駄を防止することができる。
【００２０】
請求項８の発明は、請求項７の発明において、前記プラグハウジングから前記電線を引き出す部位に、プラグハウジングに固定されるとともに電線を保持する張力止め部材が設けられていることを特徴とする。
【００２１】
この構成によれば、電線を端子ねじによって栓刃に接続する構成を採用しながらも張力止め部材を設けているから、電線に作用する張力が栓刃との接続部位に作用するのを防止することができる。
【００２２】
請求項９の発明は、請求項１ないし請求項８の発明において、前記プラグハウジングにおいて前記栓刃が突出する面のうち両電圧極の栓刃の間の部位には両栓刃の間の沿面距離を大きくする溝部が形成されていることを特徴とする。
【００２３】
この構成によれば、両電圧極の栓刃の間の部位でプラグハウジングに溝部が形成されていることによって、両電圧極の栓刃の間の沿面距離を大きくとることができ、結露等による沿面放電が発生せず安全性が向上する。
【発明の効果】
【００２４】
本発明の構成によれば、電圧極の２本の栓刃を断面の長手方向の一直線上に並設する従来構成に比較すると、電圧極の両栓刃を配列する部位の寸法を小さくすることができ、従来構成よりも幅寸法の小さいプラグハウジングを用いることが可能になるという利点がある。
【発明を実施するための最良の形態】
【００２５】
（実施形態１）
本実施形態のプラグは、図１ないし図５に示すように、コンセントハウジングに開口する３個の差込口にそれぞれ挿入される３本の栓刃７１〜７３を保持するプラグハウジング６０を備える。プラグハウジング６０は、それぞれ薄箱状に形成されたプラグボディ６１およびプラグカバー６２を突き合わせて形成されるものであって、プラグボディ６１とプラグカバー６２とは、プラグボディ６１の内底面に突設したボス６１ａにプラグカバー６２を通してそれぞれ螺合する３本の組立ねじ６３を用いて結合される。
【００２６】
プラグボディ６１の内部は、中央部に設けた筒状の仕切壁６４ａと、仕切壁６４の外周面とプラグボディ６１の上端（図１の右上端）に設けたボス６１ａの外周面との間を連結する形で形成された仕切壁６４ｂとにより３室に分割されている。仕切壁６４ａの左右の各室には、プラグボディ６１の内底面からの突出寸法がボス６１ａよりも小さい端子用ボス６１ｂがそれぞれ形成され、各端子用ボス６１ｂには電圧極である栓刃７１，７２が取付ねじ７４を用いてそれぞれ固定される（図６参照）。
【００２７】
栓刃７１は、平板状の刃部７１ａと刃部７１ａに直交する形で連続する端子部７１ｂとを備える。刃部７１ａはプラグボディ６１の底壁に穿孔した導出孔６５ａを通してプラグハウジング６０の外部に突出する。端子部７１ｂは、刃部７１ａの厚み方向に延長された後に刃部７１ａの幅方向に延長された形状であって、端子部７１ｂには、上述した取付ねじ７４が挿入される固定用孔７１ｃとともに、端子ねじ７５ａが螺合する端子ねじ孔７１ｄが形成される。
【００２８】
栓刃７２は、栓刃７１と同様に、平板状の刃部７２ａと刃部７２ａに直交する形で連続する端子部７２ｂとを備え、刃部７２ａはプラグボディ６１の底壁に穿孔した導出孔６５ｂを通してプラグハウジング６０の外部に突出する。一方、端子部７２ｂは、刃部７２ａの厚み方向に延長された形状であって、端子部７２ｂには、上述した取付ねじ７４が挿入される固定用孔７２ｃとともに、端子ねじ７５ｂが螺合する端子ねじ孔７２ｄが形成される。
【００２９】
各栓刃７１，７２において、端子部７１ｂ，７２ｂに端子ねじ７５ａ，７５ｂが螺合する位置は、プラグボディ６１の上端部に設けたボス６１ａの左右であって、端子ねじ７５ａ，７５ｂは左右方向の一直線上に並ぶように配置され、刃部７１ａ、７２ａは互いに直交するように配置される。すなわち、刃部７１ａ，７１ｂは、コンセントに設けた電圧極の差込口に適合するように配置される。
【００３０】
接地極である栓刃７３は、栓刃７１，７２と同様に刃部７３ａと端子部７３ｂとを備え、刃部７３ａの長手方向に対して端子部７３ｂが直交する形に形成されている。ただし、刃部７３ａは平板状ではなく断面Ｕ字状に曲成されている。端子部７３ｂは仕切壁６４ａの内側に配置可能な形状に形成されており、端子部７３ｂには仕切壁６４ａの内側においてプラグボディ６１の内底面に設けた端子用ボス（図示せず）に螺合する取付ねじ７４が挿入される固定用孔７３ｃと、端子ねじ７５ｃが螺合する端子ねじ孔７３ｄとが形成される。プラグボディ６１の底壁には、刃部７３ａを外部に突出させるための導出孔６５ｃが形成される。ここに、接地極である栓刃７３の刃部７３ａがプラグボディ６１から突出する寸法は、電圧極である栓刃７１，７２の刃部７１ａ，７２ａがプラグボディ６１から突出する寸法よりも大きく設定されている。
【００３１】
仕切壁６４ａの一部には端子ねじ７５ｃによって栓刃７３に接続される電線を仕切壁６４ａの外部に引き出すための引出孔６４ｃが形成される。各栓刃７１〜７３にそれぞれ端子ねじ７５ａ〜７５ｃを用いて接続された電線は、プラグハウジング６０の下壁（図１の左下壁）においてプラグボディ６１とプラグカバー６２とに跨る形で形成された円形の電線引出口６０ａを通して外部に引き出される。つまり、プラグハウジング６０に対する栓刃７１〜７３の突出方向と電線の引出方向とが直交しており、コンセントへの接続時にコンセントからの電線の突出量が小さくなるようにしてある。プラグボディ６１には、プラグボディ６１の内底面との間に電線を挟持する張力止め板６７が配置され、張力止め板６７の両端部はプラグボディ６１に設けた止め孔６１ｃに対応して設けたナットに螺合する止めねじ６７ａによってプラグボディ６１に固定される。
【００３２】
プラグハウジング６０の外側面において栓刃７１〜７３が突出する導出孔６５ａ〜６５ｃを囲む部位には、コンセントにおいてすべての差込口を囲む部位に設けた差込凹所に嵌合する差込突台６８が突設される。差込突台６８の外周縁は、上下両端部が弧状であり、両弧状部分を左右の直線部分で連続させた上下方向に長い長円状に形成されている。栓刃７１の刃部７１ａは差込突台６８の直線部分に平行であり、プラグボディ６１の外側面に対して差込突台６８の周面は直交する。このように、差込突台６８の先端面から栓刃７１〜７３を突出させ、差込凹所の底面に開口する差込口に栓刃７１〜７３を挿入するから、コンセントハウジングとプラグハウジング６０とにおける差込凹所と差込突台６８とを除く部位の突き合わせ面が、プラグハウジング６０から栓刃７１〜７３の突出する面とは異なることになり、栓刃７１〜７３に対して異物が付着しにくくなって安全性が高くなる。差込突台６８の先端面であって両電圧極の栓刃７１，７２の間の部位には栓刃７１の刃部７１ａに平行な２条の溝部６８ａが形成され、両栓刃７１，７２の間の沿面距離が大きくなっている。
【００３３】
プラグハウジング６０の外側面であって、左右両側面と上面との３箇所には、それぞれ引抜用窪み部６９が形成される。引抜用窪み部６９は、プラグハウジング６０をコンセントハウジングから取り外す際に、プラグカバー６２に設けた掛かり段差部６９ａが指の掛かりとなるように形成されており、コンセントからのプラグの取り外し作業が容易になる。つまり、掛かり段差部６９ａがなければプラグハウジング６０の厚み寸法を大きくすることによって指との摩擦力を確保する必要があるが、掛かり段差部６９ａを設けたことにより指の掛かりがよくなり、結果的にプラグハウジング６０の厚み寸法を比較的小さくすることができる。指の掛かりを確保するだけであれば、引抜用窪み部６９に掛かり段差部６９ａのみを設ければよいが、本実施形態ではプラグをコンセントから抜く際に栓刃７１〜７３への指の接触を防止するために、引抜用窪み部６９において栓刃７１〜７３が突出する面に近い側には仕切段差部６９ｂが形成される。つまり、本実施形態では、掛かり段差部６９ａと仕切段差部６９ｂとの間において引抜用窪み部６９が形成されている。このような構成によって、薄型のプラグハウジング６０を備えるプラグをコンセントから抜くにもかかわらず、栓刃７１〜７３に指が接触することが防止され、コンセントからプラグを抜く作業を安全に行うことができる。
【００３４】
（実施形態２）
実施形態１では、栓刃７１〜７３にそれぞれ端子部７１ｂ，７２ｂ，７３ｂを設け、端子部７１ｂ，７２ｂ，７３ｂに螺合する端子ねじ７５ａ〜７５ｃを用いて電線を接続する構成を採用しているが、本実施形態では、図７に示すように、各栓刃７１〜７３に断面Ｕ字状のかしめ部７１ｅ，７２ｅ，７３ｅを設け、かしめ部７１ｅ，７２ｅ，７３ｅに電線Ｌ１，Ｌ２，Ｌ３をそれぞれかしめ結合する構成を採用している。つまり、電線Ｌ１〜Ｌ３の芯線をかしめ部７１ｅ，７２ｅ，７３ｅの内側に配置し、電線Ｌ１〜Ｌ３を巻くようにかしめ部７１ｅ，７２ｅ，７３ｅをかしめることによって、電線Ｌ１〜Ｌ３を栓刃７１〜７３に接続している。
【００３５】
また、本実施形態のプラグハウジング６０は、プラグボディ６１およびプラグカバー６２を突き合わせて形成したものではなく、合成樹脂によって栓刃７１〜７３と同時一体に成形してある。つまり、栓刃７１〜７３に電線Ｌ１〜Ｌ３を接続した後に、プラグハウジング６０を一体に成形しているのであって、栓刃７１〜７３と電線Ｌ１〜Ｌ３との接続部がプラグハウジング６０に埋設され、さらに電線Ｌ１〜Ｌ３の一部もプラグハウジング６０に埋設されることになる。３本の電線Ｌ１〜Ｌ３はシースに収納されることによって１本のケーブルＬｐを形成しており、プラグハウジング６０からはケーブルＬｐが引き出される。ケーブルＬｐの引出位置（つまり、電線の引出位置）は実施形態１と同様であって、栓刃７１〜７３の突出方向とケーブルＬｐの引出方向とを直交させてある。プラグハウジング６０においてケーブルＬｐが引き出される部位には、図８のように、プラグハウジング６０と連続一体にプラグハウジング６０から突出する形でブッシング６６が形成されている。ブッシング６６はケーブルＬｐを包んでおり、ケーブルＬｐの屈曲に応じて撓むことができるように可撓に形成されている。ケーブルＬｐに作用する張力は、ケーブルＬｐが挿通されているブッシング６６と、電線Ｌ１〜Ｌ３が埋入されているプラグハウジング６０とによって、栓刃７１〜７３と電線Ｌ１〜Ｌ３との結合部位に及ばないように止められる。また、ケーブルＬｐに作用する張力の一部が栓刃７１〜７３と電線Ｌ１〜Ｌ３との結合部位に及んだとしても、電線Ｌ１〜Ｌ３と栓刃７１〜７３とがかしめ結合によって強固に結合されているから、電源Ｌ１〜Ｌ３が栓刃７１〜７３から外れることはない。他の構成および機能は実施形態１として説明したプラグと同様である。
【００３６】
なお、上述した実施形態において、プラグハウジング６０に差込突台６８を形成しているが、差込凹所をプラグに設け、差込突台をコンセントに設けるようにしても同様の効果が期待できる。
【００３７】
（実施形態３）
実施形態１、実施形態２では、プラグハウジング６０からの栓刃７１〜７３の突出方向とプラグハウジング６０からの電線（ケーブルＬｐ）の引出方向とが直交する例を示したが、本実施形態のプラグは、図９および図１０に示すように、プラグハウジング６０からの栓刃７１〜７３の突出方向とプラグハウジング６０からの電線（ケーブルＬｐ）の引出方向とが平行するものである。また、プラグハウジング６０は栓刃７１〜７３の突出方向に直交する断面が、コンセントハウジングに設けた差込凹所の開口面に合致する形状に形成されている。つまり、プラグハウジング６０の外周面は栓刃７１〜７３の突出方向に直交する断面が、コンセントハウジングに設けた差込凹所の内周面の形状に合致し、栓刃７１〜７３の突出方向におけるプラグハウジング６０の一端部がコンセントハウジングに設けた差込凹所に嵌合可能になっている。
【００３８】
このように、プラグハウジング６０の一部がコンセントハウジングに設けた差込凹所に挿入されることによって、プラグハウジング６０は、実施形態１、実施形態２における差込突台６８と同様に機能し、差込凹所の開口面がプラグハウジング６０により閉塞されるとともに、差込凹所の開口面よりも奥方で栓刃７１〜７３がコンセントの差込口に挿入されることになる。つまり、ゴミや金属片や水滴のような異物が栓刃に触れにくくなり、安全性を向上させることができる。しかも、コンセントハウジングに対するプラグハウジング６０の投影面積は、差込凹所の開口面と同程度の面積であるから、実施形態１、実施形態２の構成に比較すると投影面積が小さくなり、小型のプラグを提供することができる。
【００３９】
ところで、本実施形態のプラグハウジング６０は、栓刃７１〜７３の突出方向において分割可能であって、栓刃７１〜７３を保持しているプラグボディ６１と、栓刃７１〜７３の突出方向においてプラグボディ６１に突き合わせられ栓刃７１〜７３と電線Ｌ１〜Ｌ３（図７参照）との接続部位をプラグボディ６１とともに覆うプラグカバー６２とにより形成される。プラグボディ６１とプラグカバー６２との外周面は、栓刃７１〜７３の突出方向に直交する断面において長円状であり同形状に形成される。また、プラグボディ６１とプラグカバー６２とはともに有底筒状であって、栓刃７１〜７３の突出方向における寸法については、プラグカバー６２がプラグボディ６１よりも大きくなっている。プラグボディ６１とプラグカバー６２とは、プラグボディ６１に立設したボス（図示せず）にプラグカバー６２を通して螺合する組立ねじ（図示せず）により結合される。また、プラグボディ６１とプラグカバー６２との着脱が不要であれば、プラグボディ６１とプラグカバー６２とを超音波溶着のような技術によって固着してもよい。
【００４０】
ケーブルＬｐはプラグカバー６２の底壁から外部に引き出され、プラグカバー６２に固定された一対の張力止め部材６７ｂの間に挟持される。両張力止め部材６７ｂは、ケーブルＬｐを挟持する断面半円状の筒部６７ｃと、筒部６７ｃから延設される可撓片６７ｄと、可撓片６７ｄの先端から可撓片６７ｄに直交する形で延設されプラグカバー６２に固定される固定片６７ｅとをそれぞれ備える。また、筒部６７ｃの両側縁には取付片６７ｆが延設され、一方の張力止め部材６７ｂにおける取付片６７ｆを通して挿入された止めねじ６７ｇが他方の張力止め部材６７ｂにおける取付片６７ｆに螺合することによって、止めねじ６７ｇの締め付け量に応じて、両筒部６７ｃの間の距離を変化させることができるようになっている。つまり、可撓片６７ｄは一端部がプラグカバー６２に固定されているが筒部６７ｃに連続する他端部が自由端になっているから、止めねじ６７ｇの締め付け量に応じて可撓片６７ｄの撓み量が変化し、両筒部６７ｃの間の距離を変化させることが可能になるのである。他の構成および機能は実施形態１において説明したプラグと同様である。
【００４１】
（実施形態４）
本実施形態は、図１１および図１２に示すように、実施形態３と同様の外観形状を有するプラグであって、各栓刃７１〜７３に断面Ｕ字状のかしめ部７１ｅ，７２ｅ，７３ｅ（図７参照）を設け、かしめ部７１ｅ，７２ｅ，７３ｅに電線Ｌ１，Ｌ２，Ｌ３をそれぞれかしめ結合する構成を採用している。つまり、電線Ｌ１〜Ｌ３の芯線をかしめ部７１ｅ，７２ｅ，７３ｅの内側に配置し、電線Ｌ１〜Ｌ３を巻くようにかしめ部７１ｅ，７２ｅ，７３ｅをかしめることによって、電線Ｌ１〜Ｌ３を栓刃７１〜７３に接続している。
【００４２】
本実施形態のプラグハウジング６０は、合成樹脂によって栓刃７１〜７３と同時一体に成形してある。つまり、栓刃７１〜７３に電線Ｌ１〜Ｌ３を接続した後に、プラグハウジング６０を一体に成形している。この構成により、栓刃７１〜７３と電線Ｌ１〜Ｌ３との接続部がプラグハウジング６０に埋設され、さらに電線Ｌ１〜Ｌ３の一部もプラグハウジング６０に埋設される。
【００４３】
プラグハウジング６０からのケーブルＬｐの引出位置（つまり、電線の引出位置）は実施形態３と同様であって、栓刃７１〜７３の突出方向とケーブルＬｐの引出方向とは平行している。プラグハウジング６０においてケーブルＬｐが引き出される部位には、プラグハウジング６０と連続一体にプラグハウジング６０から突出する形でブッシング６６が形成されている。ブッシング６６はケーブルＬｐを包み、ケーブルＬｐの屈曲に応じて撓むことができるように可撓に形成されている。ケーブルＬｐに作用する張力は、ケーブルＬｐが挿通されているブッシング６６と、電線Ｌ１〜Ｌ３が埋入されているプラグハウジング６０とによって、栓刃７１〜７３と電線Ｌ１〜Ｌ３との結合部位に及ばないように止められる。また、ケーブルＬｐに作用する張力の一部が栓刃７１〜７３と電線Ｌ１〜Ｌ３との結合部位に及んだとしても、電線Ｌ１〜Ｌ３と栓刃７１〜７３とがかしめ結合によって強固に結合されているから、電源Ｌ１〜Ｌ３が栓刃７１〜７３から外れることはない。他の構成および機能は実施形態３として説明したプラグと同様である。他の構成および機能は実施形態３において説明したプラグと同様である。
【図面の簡単な説明】
【００４４】
【図１】実施形態１を示す分解斜視図である。
【図２】同上の斜視図である。
【図３】同上の正面図である。
【図４】同上の側面図である。
【図５】同上の背面図である。
【図６】同上のプラグカバーを外した正面図である。
【図７】実施形態２を示し、（ａ）は正面図、（ｂ）は側面図、（ｃ）は下面図である。
【図８】同上の斜視図である。
【図９】実施形態３を示し、（ａ）は正面図、（ｂ）は側面図、（ｃ）は下面図である。
【図１０】同上の斜視図である。
【図１１】実施形態４を示し、（ａ）は正面図、（ｂ）は側面図、（ｃ）は下面図である。
【図１２】同上の斜視図である。
【図１３】従来例を示す正面図である。
【符号の説明】
【００４５】
６０  プラグハウジング
６１  プラグボディ
６２  プラグカバー
６７ｂ  張力止め部材
６８  差込突台
６８ａ  溝部
６９  引抜用窪み部
６９ａ  掛かり段差部
６９ｂ  仕切段差部
７１  （第１の）栓刃
７１ｂ  端子部
７１ｅ  かしめ部
７２  （第２の）栓刃
７２ｂ  端子部
７２ｅ  かしめ部
７３  栓刃（接地極）
７３ｂ  端子部
７３ｅ  かしめ部
７５ａ〜７５ｃ  端子ねじ
Ｌ１〜Ｌ３  電線
Ｌｐ  ケーブル
【図１】
2005135615.tif 000003
【図２】
2005135615.tif 000004
【図３】
2005135615.tif 000005
【図４】
2005135615.tif 000006
【図５】
2005135615.tif 000007
【図６】
2005135615.tif 000008
【図７】
2005135615.tif 000009
【図８】
2005135615.tif 000010
【図９】
2005135615.tif 000011
【図１０】
2005135615.tif 000012
【図１１】
2005135615.tif 000013
【図１２】
2005135615.tif 000014
【図１３】
2005135615.tif 000015